(57)【要約】【課題】  場所を取らずに、しかも容易にスライドさせて移動させることができる収納容器、及び収納容器等の底面に装着して使用されるスライド部材を提供する。【解決手段】  他の物品を収納する収納空間を形成する収納容器２の底面の複数ヶ所に、収納容器２よりも摩擦係数の小さな素材により形成された別部材からなるスライド部材２１を装着する。スライド部材２１によって、収納容器２の底面に、鉛直方向に膨出又は突出し任意の場所に置かれた状態の収納容器を支持する脚部５を形成する。収納容器２がポリプロピレン製である場合には、スライド部材２１を形成する素材としてはポリアセタール等を使用する。【選択図】      図１
2006182416.tif 000002
【特許請求の範囲】
【請求項１】
物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、
前記脚部における前記任意の場所の支持面と対向する表面を円筒面の一部としたことを特徴とする収納容器。
【請求項２】
物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、
前記脚部における前記任意の場所の支持面と対向する表面を、帯状の平面が延在途中で前記支持面に向かい湾曲した曲面としたことを特徴とする収納容器。
【請求項３】
物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、
前記脚部における前記任意の場所の支持面と対向する表面を、帯状の平面の延在方向の両端部が容器本体の底面に向かって屈曲した曲面としたことを特徴とする収納容器。
【請求項４】
物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、
前記脚部における前記任意の場所の支持面と対向する表面を、鉛直方向における任意の断面が曲線となる曲面に含まれるとともに、支持面側から見た中央部で互いに十字形に交差する２つの帯状の領域のみからなる十字形曲面としたことを特徴とする収納容器。
【請求項５】
物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、
前記脚部が、容器本体の底面から立ち上がるとともに前記任意の場所の支持面と対向する先端面が鉛直方向における任意の断面が曲線となる曲面に形成された支柱部と、該支柱部の周面の周方向に均等に配置されて容器本体の底面に接して突出する複数の補助脚部とを備えたことを特徴とする収納容器。
【請求項６】
物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、
前記脚部が容器本体の底面から立ち上がる支柱部と、該支柱部の先端に形成され周縁が前記支柱部の周面から外周方向に突出する当接部とを備え、該当接部における前記任意の場所の支持面と対向する表面が、鉛直方向における任意の断面が曲線となる曲面に形成されたことを特徴とする収納容器。
【請求項７】
前記スライド部材を、前記底面の外周側の複数箇所と、それら複数箇所によって囲まれる前記底面の所定箇所とに設けたことを特徴とする請求項１乃至８のいずれか１項に記載の収納容器。
【請求項８】
前記所定箇所は、底面の中央部の１箇所であることを特徴とする請求項７記載の収納容器。
【請求項９】
前記底面における前記スライド部材の装着箇所に、前記スライド部材が内嵌する取付凹部を形成したことを特徴とする請求項１乃至８のいずれか１項に記載の収納容器。
【請求項１０】
前記容器本体の底面に底部を貫通する取付穴を設ける一方、前記スライド部材に、前記取付穴に圧入される抜け止め用の係止爪を設けたことを特徴とする請求項１乃至９のいずれか１項に記載の収納容器。
【請求項１１】
前記容器本体の底面に底部を貫通する取付穴を設ける一方、
前記スライド部材の内部に前記底面に向かい延出する取付軸と、該取付軸の先端外周に周方向に分割して形成された抜け止め用の複数の爪とを設け、
前記スライド部材の容器本体への装着時には、スライド部材の取付軸における前記複数の爪を内側に弾性移動させて容器本体の前記取付穴に圧入するとともに、前記取付穴を貫通して元の位置に復帰した複数の爪によりスライド部材を容器本体に係合させることを特徴とする請求項１乃至１０のいずれか１項に記載の収納容器。
【請求項１２】
前記スライド部材をポリアセタールにより成形したことを特徴とする請求項１乃至１１のいずれか１項に記載の収納容器。
【請求項１３】
任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が円筒面の一部であることを特徴とするスライド部材。
【請求項１４】
任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が、帯状の平面が延在途中で前記支持面に向かい湾曲した曲面であることを特徴とするスライド部材。
【請求項１５】
任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が、帯状の平面の延在方向の両端部が容器本体の底面に向かって屈曲した曲面であることを特徴とするスライド部材。
【請求項１６】
任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が、鉛直方向における任意の断面が曲線となる曲面に含まれるとともに支持面側から見た中央部で互いに十字形に交差する２つの帯状の領域のみからなる十字形曲面であることを特徴とするスライド部材。
【請求項１７】
任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部が、容器本体の底面から立ち上がるとともに前記任意の場所の支持面と対向する先端面が鉛直方向における任意の断面が曲線となる曲面に形成された支柱部と、該支柱部の周面の周方向に均等に配置されて容器本体の底面に接して突出する複数の補助脚部とを備えたことを特徴とするスライド部材。
【請求項１８】
任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部が容器本体の底面から立ち上がる支柱部と、該支柱部の先端に形成され周縁が前記支柱部の周面から外周方向に突出する当接部とを備え、該当接部における前記任意の場所の支持面と対向する表面が、鉛直方向における任意の断面が曲線となる曲面に形成されたことを特徴とするスライド部材。
【請求項１９】
ポリアセタールにより成形されたことを特徴とする請求項１３乃至１８のいずれか１項に記載のスライド部材。
【発明の詳細な説明】
【技術分野】
【０００１】
本発明は、任意の物品を収容する収納容器、及び収納容器等の底面に装着して使用されるスライド部材に関する。
【背景技術】
【０００２】
従来、それ単独で、或いは複数段に積み重ねて使用される、例えば合成樹脂製の収納ケースにおいては、ケース本体の底部や側面に車輪を設けたり、或いはケース本体の底部にキャスターを設けたりすることにより、物品を収容した状態での移動を容易に行えるようにしている。
【発明の開示】
【発明が解決しようとする課題】
【０００３】
しかしながら、収納ケースに車輪やキャスターを設けた場合には、ケース本体の物品を収容する収容空間に突出部分を生じさせることとなり、その分使い勝手が犠牲となる。また、それを回避するため車輪やキャスターをケース本体の外周部に設けると、ケース本体の外形寸法（特に高さ寸法）が、その分だけ大きくなるため、例えばソファの下等の狭い場所で使用するものでは収納容量が犠牲となり、また、クローゼット内等において重ねて使用する場合に無駄な空間が必要となるという問題があった。
【０００４】
本発明は、かかる従来の課題に鑑みてなされたものであり、場所を取らずに、しかも容易にスライドさせて移動させることができる収納容器、及び収納容器等の底面に装着して使用されるスライド部材を提供することを目的とする。
【課題を解決するための手段】
【０００５】
前記課題を解決するため請求項１の発明にあっては、物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、前記脚部における前記任意の場所の支持面と対向する表面を円筒面の一部としたものとした。
【０００６】
かかる構成においては、収納容器は任意の場所に置かれた状態で、任意の場所の支持面と線接触する脚部によって支持される。しかも、収納空間に突出部分を存在させることなく内部全てをフラットな形状にしつつ、収納容器の外形寸法を最小限に抑えることができる。
【０００７】
また、請求項２の発明にあっては、物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、前記脚部における前記任意の場所の支持面と対向する表面を、帯状の平面が延在途中で前記支持面に向かい湾曲した曲面としたものとした。
【０００８】
かかる構成においても、収納容器は任意の場所に置かれた状態で、任意の場所の支持面と線接触する脚部によって支持される。しかも、収納空間に突出部分を存在させることなく内部全てをフラットな形状にしつつ、収納容器の外形寸法を最小限に抑えることができる。
【０００９】
また、請求項３の発明にあっては、物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、前記脚部における前記任意の場所の支持面と対向する表面を、帯状の平面の延在方向の両端部が容器本体の底面に向かって屈曲した曲面としたものとした。
【００１０】
かかる構成においては、収納容器は任意の場所に置かれた状態で、任意の場所の支持面と収納容器の底面よりも小さな面積で面接触する脚部によって支持される。しかも、収納空間に突出部分を存在させることなく内部全てをフラットな形状にしつつ、収納容器の外形寸法を最小限に抑えることができる。
【００１１】
また、請求項４の発明にあっては、物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、前記脚部における前記任意の場所の支持面と対向する表面を、鉛直方向における任意の断面が曲線となる曲面に含まれるとともに、支持面側から見た中央部で互いに十字形に交差する２つの帯状の領域のみからなる十字形曲面としたものとした。
【００１２】
かかる構成においては、収納容器は任意の場所に置かれた状態で、任意の場所の支持面と点接触する脚部によって支持される。しかも、収納空間に突出部分を存在させることなく内部全てをフラットな形状にしつつ、収納容器の外形寸法を最小限に抑えることができる。
【００１３】
また、請求項５の発明にあっては、物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、前記脚部が、容器本体の底面から立ち上がるとともに前記任意の場所の支持面と対向する先端面が鉛直方向における任意の断面が曲線となる曲面に形成された支柱部と、該支柱部の周面の周方向に均等に配置されて容器本体の底面に接して突出する複数の補助脚部とを備えたものとした。
【００１４】
かかる構成においても、収納容器は任意の場所に置かれた状態で、任意の場所の支持面と点接触する脚部によって支持される。しかも、収納空間に突出部分を存在させることなく内部全てをフラットな形状にしつつ、収納容器の外形寸法を最小限に抑えることができる。
【００１５】
また、請求項６の発明にあっては、物品を収納する収納空間を形成する容器本体と、該容器本体の底面の複数箇所にそれぞれ装着され、任意の場所に置かれた状態の容器本体を支持する脚部を形成する、収納容器よりも摩擦係数の小さな素材により形成された複数のスライド部材とを備えた収納容器であって、前記脚部が容器本体の底面から立ち上がる支柱部と、該支柱部の先端に形成され周縁が前記支柱部の周面から外周方向に突出する当接部とを備え、該当接部における前記任意の場所の支持面と対向する表面が、鉛直方向における任意の断面が曲線となる曲面に形成されたものとした。
【００１６】
かかる構成においても、収納容器は任意の場所に置かれた状態で、任意の場所の支持面と点接触する脚部によって支持される。しかも、収納空間に突出部分を存在させることなく内部全てをフラットな形状にしつつ、収納容器の外形寸法を最小限に抑えることができる。
【００１７】
また、請求項７の発明にあっては、前記スライド部材を、前記底面の外周側の複数箇所と、それら複数箇所によって囲まれる前記底面の所定箇所とに設けたものとした。
【００１８】
かかる構成においては、収容物の重みで容器本体の底部が下方に撓むことをスライド部材によって防止することができる。
【００１９】
また、請求項８の発明にあっては、前記所定箇所は、底面の中央部の１箇所であるものとした。
【００２０】
かかる構成においても、収容物の重みで容器本体の底部が下方に撓むことをスライド部材によって防止することができる。
【００２１】
また、請求項９の発明にあっては、前記底面における前記スライド部材の装着箇所に、前記スライド部材が内嵌する取付凹部を形成したものとした。
【００２２】
かかる構成においては、収納容器の移動時に、容器本体とスライド部材との取付部位に過大な力が加わることがない。
【００２３】
また、請求項１０の発明にあっては、前記容器本体の底面に底部を貫通する取付穴を設ける一方、前記スライド部材に、前記取付穴に圧入される抜け止め用の係止爪を設けたものとした。
【００２４】
かかる構成においては、容器本体へのスライド部材の装着を極めて容器かつ確実に行うことができる。
【００２５】
また、請求項１１の発明にあっては、前記容器本体の底面に底部を貫通する取付穴を設ける一方、前記スライド部材の内部に前記底面に向かい延出する取付軸と、該取付軸の先端外周に周方向に分割して形成された抜け止め用の複数の爪とを設け、前記スライド部材の容器本体への装着時には、スライド部材の取付軸における前記複数の爪を内側に弾性移動させて容器本体の前記取付穴に圧入するとともに、前記取付穴を貫通して元の位置に復帰した複数の爪によりスライド部材を容器本体に係合させるものとした。
【００２６】
かかる構成においても、容器本体へのスライド部材の装着を極めて容器かつ確実に行うことができる。
【００２７】
また、請求項１２の発明にあっては、前記スライド部材をポリアセタールにより成形したものとした。
【００２８】
また、請求項１３の発明にあっては、任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が円筒面の一部であるものとした。
【００２９】
かかる構成においては、それを装着した装着対象が任意の場所に置かれているとき、それを、任意の場所の支持面と線接触した状態で支持することができる。
【００３０】
また、請求項１４の発明にあっては、任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が、帯状の平面が延在途中で前記支持面に向かい湾曲した曲面であるものとした。
【００３１】
かかる構成においても、それを装着した装着対象が任意の場所に置かれているとき、それを、任意の場所の支持面と線接触した状態で支持することができる。
【００３２】
また、請求項１５の発明にあっては、任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が、帯状の平面の延在方向の両端部が容器本体の底面に向かって屈曲した曲面であるものとした。
【００３３】
かかる構成においては、それを装着した装着対象が任意の場所に置かれているとき、それを、任意の場所の支持面と収納容器の底面よりも小さな面積で面接触した状態で支持することができる。
【００３４】
また、請求項１６の発明にあっては、任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部における前記任意の場所の支持面と対向する表面が、鉛直方向における任意の断面が曲線となる曲面に含まれるとともに支持面側から見た中央部で互いに十字形に交差する２つの帯状の領域のみからなる十字形曲面であるものとした。
【００３５】
かかる構成においては、それを装着した装着対象が任意の場所に置かれているとき、それを、任意の場所の支持面と点接触した状態で支持することができる。
【００３６】
また、請求項１７の発明にあっては、任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部が、容器本体の底面から立ち上がるとともに前記任意の場所の支持面と対向する先端面が鉛直方向における任意の断面が曲線となる曲面に形成された支柱部と、該支柱部の周面の周方向に均等に配置されて容器本体の底面に接して突出する複数の補助脚部とを備えたものとした。
【００３７】
かかる構成においても、それを装着した装着対象が任意の場所に置かれているとき、それを、任意の場所の支持面と点接触した状態で支持することができる。
【００３８】
また、請求項１８の発明にあっては、任意の装着対象の底面の複数箇所に装着され、任意の場所に置かれた状態の装着対象を支持する脚部を形成するスライド部材であって、前記装着対象の底面よりも摩擦係数の小さな素材により形成され、前記脚部が容器本体の底面から立ち上がる支柱部と、該支柱部の先端に形成され周縁が前記支柱部の周面から外周方向に突出する当接部とを備え、該当接部における前記任意の場所の支持面と対向する表面が、鉛直方向における任意の断面が曲線となる曲面に形成されたものとした。
【００３９】
かかる構成においても、それを装着した装着対象が任意の場所に置かれているとき、それを、任意の場所の支持面と点接触した状態で支持することができる。
【００４０】
また、請求項１９の発明にあっては、ポリアセタールにより成形されたものとした。
【発明の効果】
【００４１】
以上のように、請求項１、２の収納容器においては、収納容器は任意の場所に置かれた状態で、任意の場所の支持面と線接触する脚部によって支持される。しかも、収納空間に突出部分を存在させることなく内部全てをフラットな形状にしつつ、収納容器の外形寸法を最小限に抑えることができるようにした。よって、場所を取らずに、しかも容易にスライドさせて移動させることが可能となる。
【００４２】
また、請求項３の収納容器においては、収納容器は任意の場所に置かれた状態で、任意の場所の支持面と収納容器の底面よりも小さな面積で面接触する脚部によって支持される。しかも、収納空間に突出部分を存在させることなく内部全てをフラットな形状にしつつ、収納容器の外形寸法を最小限に抑えることができるようにした。よって、場所を取らずに、しかも容易にスライドさせて移動させることが可能となる。
【００４３】
また、請求項４、５、６の収納容器においては、収納容器は任意の場所に置かれた状態で、任意の場所の支持面と点接触する脚部によって支持される。しかも、収納空間に突出部分を存在させることなく内部全てをフラットな形状にしつつ、収納容器の外形寸法を最小限に抑えることができるようにした。よって、場所を取らずに、しかも容易にスライドさせて移動させることが可能となる。
【００４４】
また、請求項７及び請求項８の収納容器においては、収容物の重みで容器本体の底部が下方に撓むことをスライド部材によって防止することができるようにした。よって、収納容器に多量の物品や重量物が収容されることにより、その底部が下方に撓むような場合においても高いスライド性能を維持することができる。
【００４５】
また、請求項９の収納容器においては、収納容器の移動時に、収納容器又はスライド部材の取付部位に過大な力が加わることがないようにした。よって、収納容器又は又はスライド部材の取付部位の破損に伴うスライド部材の脱落を未然に防止することができ、信頼性や耐久性を向上させることができる。
【００４６】
また、請求項１０及び請求項１１の収納容器においては、容器本体へのスライド部材の装着を極めて容器かつ確実に行うことができる。
【００４７】
また、請求項１３〜請求項１８のスライド部材においては、それを用いることにより請求項１〜請求項６の収納容器がそれぞれ実現可能となる。
【発明を実施するための最良の形態】
【００４８】
以下、本発明の好ましい実施の形態を図にしたがって説明する。
（実施形態１）
図１は第１の実施の形態に係る薄型ボックス１を示す図である。この薄型ボックス１は一般家庭のソファの下やクローゼット内に置かれ、任意の物品の収納に用いられるものであって、ポリプロピレンによって形成されている上面開口状の容器本体２と、その上部を閉鎖する蓋体３とから構成されている。なお、容器本体２は本発明の装着対象でもある。
【００４９】
容器本体２は任意の物品を収納する収納空間を形成しており、その上部の相対向する両辺には前記蓋体３を固定するためのバックル４，４が設けられている。また、容器本体２の略正方形の底面２ａには、図３に示したように、周囲の四隅と中央部との５箇所に、任意の場所に置かれた状態の容器本体２を支持する脚部５が設けられる。また、これと対応して蓋体３には、図２に示したように、他の薄型ボックス１を重ねて使用するとき前記脚部５が位置する５箇所に凹部６が形成されている。これにより薄型ボックス１を重ねて使用する際における上段側の薄型ボックス１のズレが防止できるようになっている。
【００５０】
一方、前記脚部５は、容器本体２とは別にポリプロピレンよりも表面の摩擦抵抗が小さなポリアセタール（ジュラコンとも呼ばれる）によって形成されたスライド部材２１が容器本体２の底部に装着されることによって形成されている。以下、本実施の形態におけるスライド部材２１及びその取付構造について詳述する。
【００５１】
図４はバックル４を取り外した状態における容器本体２の左半分を示す平面図、同様に、図５は容器本体２の左半分を示す底面図である。図５に示したように、容器本体２の底面２ａには、前記脚部５に相当する位置に前述したスライド部材２１が内嵌する取付凹部７が形成されている。取付凹部７は、図６に示したように底面２ａに長方形をなす突条８が設けられることによって形成されており、その長手方向の両端側には突条８の長辺側の内周面に接して容器本体２の底部を貫通する４つの矩形状の係止穴９が設けられている。なお、係止穴９が本発明の取付穴である。また、図４に示したように容器本体２の内部底面２ｂには、前記取付凹部７に対応して、取付凹部７よりも一回り大きな係止凹部１０が形成されている。
【００５２】
次に、スライド部材２１の構造を説明する。図７はスライド部材２１を示す外観斜視図である。スライド部材２１は図示した向きで下面開口状の中空部材であり、容器本体２に装着された状態において薄型ボックス１が置かれた任意の場所の支持面と対向する表面（以下、対向面という。）２１ａが円筒面の一部である半円形の一般部２２と、その下端に形成されている４本の取付片２３とからなり、各取付片２３の先端には係止爪２４がそれぞれ形成されている。
【００５３】
そして、スライド部材２１は、図８に示したように容器本体２の底面２ａ側から収納空間１００に向けて４本の取付片２３が前記係止穴９にそれぞれ圧入されることにより容器本体２に装着されている。また、装着後のスライド部材２１は、各取付片２３の係止爪２４が前記係止凹部１０に係止されることによって容器本体２に係合し、容器本体２からの脱落を防止されている。
【００５４】
以上の構成からなる薄型ボックス１においては、容器本体２の底面２ａの複数箇所に前述したスライド部材２１によって形成された脚部５が設けられていることから、使用時には仮に多量の物品や重量物が収容された状態でソファの下やクローゼット内等に置かれているときであっても、薄型ボックス１を容易にスライドさせて移動させることができる。しかも、従来のようにキャスターを設ける場合に比べ、収納空間１００に突出部分を存在させることなく内部全てをフラットな形状にしつつ、薄型ボックス１の外形寸法（特に高さ寸法）を最小限に抑えることができる。よって、ソファの下等の狭い場所で使用する場合や、クローゼット内等において重ねて使用する場合における使い勝手を向上させることができる。
【００５５】
また、脚部５を容器本体２と別部材であるスライド部材２１によって形成することから、スライド部材２１の素材を適宜選択することにより、薄型ボックス１に高いスライド性能（移動性能）を容易に確保することができる。
【００５６】
また、薄型ボックス１が置かれた場所の床面等に対向する、スライド部材２１における一般部２２の対向面２１ａを円筒面の一部としたことから、脚部５と床面等とが線接触することとなり両者の接触面積を小さくすることができる。したがって、薄型ボックス１により高いスライド性能（移動性能）を確保することができる。特に薄型ボックス１が置かれた場所がフローリング等の硬い床面である場合においては、帯状である対向面２１ａの横断方向への移動が極めて容易となり、また薄型ボックス１が置かれた場所が絨毯等の柔らかい床面である場合においては、帯状である対向面２１ａの延在方向への移動が極めて容易となる。
【００５７】
また、脚部５を容器本体２の底面２ａの周囲の四隅だけでなく中央部にも設けたことから、収納空間１００に多量の物品や重量物が収容されることによって底部が下方に撓むような場合においても高いスライド性能を維持することができる。それにより信頼性や耐久性を向上させることができる。なお、底面２ａの周囲以外に脚部５を設ける箇所は、容器本体２の底面２ａの面積や形状等に応じて適宜増やすことができる。
【００５８】
また、容器本体２の底面２ａに取付凹部７を設け、そこにスライド部材２１を内嵌させるようにしたことから、薄型ボックス１の移動時に容器本体２又はスライド部材２１の取付部位に過大な力が加わることがない。したがって、容器本体２又はスライド部材２１の取付部位に破損に伴うスライド部材２１の脱落を未然に防止することができる。
【００５９】
また、スライド部材２１は、前述したように取付片２３の先端部を容器本体２の係止穴９に圧入するだけで容器本体２に容易に装着させることができ、しかも装着後における容器本体２からの脱落を防止されるため、スライド部材２１の装着作業を極めて容易かつ確実に行うことができる。なお、容器本体２へのスライド部材２１の取付構造は適宜変更可能である。
【００６０】
ここで、本実施の形態においては、本発明の収納容器として薄型ボックス１の容器本体２を示したが、これに限らず本発明は、他の物品を収納する収納空間を形成する他の収納容器に採用することができる。また、本発明におけるスライド部材の装着対象は、上記のような収納容器に限らず他の物品であっても構わない。また、本実施の形態においては容器本体２をポリプロピレン製としたため、スライド部材２１をポリアセタール製としたが、各々を形成する素材はこれ以外の組み合わせであってもよい。なお、容器本体２がポリプロピレン製であるときには、ポリアセタール以外にもフッ素樹脂等が使用可能である。
【００６１】
（実施形態２、３）
一方、前述した容器本体２の底面２ａにおける取付凹部７には、スライド部材２１に代えて図９に示した形状を有するものを装着してもよい。すなわち同図（ａ）は本発明の第２の実施の形態におけるスライド部材３１を示した図、同図（ｂ）は本発明の第３の実施の形態におけるスライド部材４１を示した図である。
【００６２】
図９（ａ）のスライド部材３１は、図示した向きで下面開口状の中空部材であるとともに、容器本体２の底面２ａに突出する一般部３２が流線形であって、容器本体２に装着された状態において薄型ボックス１が置かれた床面等と対向する対向面３１ａが、帯状の平面が延在途中の長手方向の一端側で上記支持面に向かい湾曲した曲面となっている。なお、これ以外については図７に示したものと同様であるため同一部分に同一符号を付し説明を省略する。
【００６３】
係るスライド部材３１においても、図７に示したものと同様、一般部３２によって形成される脚部（５）と床面等とが線接触することとなり両者の接触面積を小さくすることができる。したがって薄型ボックス１により高いスライド性能（移動性能）を確保することができるとともに、収納空間１００に突出部分を存在させることなく内部全てをフラットな形状にしつつ、薄型ボックス１の外形寸法（特に高さ寸法）を最小限に抑えることができるため、ソファの下等の狭い場所で使用する場合や、クローゼット内等において重ねて使用する場合における使い勝手を向上させることができる。
【００６４】
また、図９（ｂ）のスライド部材４１は、図示した向きで下面開口状の中空部材であるとともに、容器本体２の底面２ａに突出する一般部４２が略直方体形状であって、容器本体２に装着された状態において薄型ボックス１が置かれた床面等と対向する対向面４１ａが、帯状の平面の延在方向の両端部が容器本体２の底面２ａに向かって屈曲した曲面となっている。なお、これ以外については図７に示したものと同様であるため同一部分に同一符号を付し説明を省略する。
【００６５】
係るスライド部材４１においては、薄型ボックス１の使用時には脚部５と床面等とが面接触することとなるが、容器本体２と床面等との接触面積を小さくすることによって、薄型ボックス１に高いスライド性能（移動性能）を確保することができる。特に薄型ボックス１が置かれた場所がフローリング等の硬い床面である場合には任意の方向への移動が容易となり、また薄型ボックス１が置かれた場所が絨毯等の柔らかい床面である場合においては、帯状である対向面４１ａの延在方向への移動が極めて容易となる。なお、これ以外の効果については第１の実施の形態に示したものと同様である。
【００６６】
（実施形態４）
次に、本発明の第４の実施の形態を説明する。本実施の形態は、容器本体２に前述したスライド部材２１等に代えて図１０及び図１１に示したスライド部材５１を装着することによって、周囲の四隅と中央部との５箇所に、任意の場所に置かれた状態の容器本体２を支持する脚部を形成するものである。なお、図１１（ａ）は、使用時における向きでの平面図、同図（ｂ）は側面図、同図（ｃ）は同図（ａ）のＡ−Ａ断面図である。
【００６７】
図示したように、本実施の形態のスライド部材５１は、容器本体２に装着された状態（図１３参照）において容器本体２の底面２ａから鉛直方向に膨出する中空状の一般部５２と、一般部５２の内部中心に突出する取付軸５３とから構成されている。一般部５２は、容器本体２に装着された状態で薄型ボックス１が置かれた床面等と対向する対向面５１ａが球面の一部を構成するとともに、床面等の側から見た中央部で互いに十字形に交差する２つの帯状の領域のみからなる十字形曲面である一方向に開口する部材である。前記取付軸５３は、図１１に示したように、円柱の先端側に小径部を設けるとともに周方向に４分割した形状であって、その先端部には、外周に突出するとともに周方向に分割形成された抜け止め用の４つの爪５４が形成されている。
【００６８】
一方、図１２は、本実施の形態における容器本体２側の上記スライド部材５１の取付部分の構造を示した図であり、同図（ａ）は、容器本体２の底面２ａの要部、同図（ｂ）は、容器本体２の内部底面２ｂの要部をそれぞれ示した図である。
【００６９】
図１２（ａ）に示したように、容器本体２の底面２ａには脚部５（図１３参照）に相当する位置に、前述したスライド部材５１（一般部５２）が内嵌する取付凹部７が形成されている。取付凹部７は、底面２ａに前記スライド部材５１の外形形状に応じた環状の突条８が設けられることによって形成されてものであって、その中央部には、軸芯に容器本体２の底部を貫通する貫通穴１９が開口する円筒部１４が突設されている。また、貫通穴１９の内周面には、容器本体２の収納空間１００を形成する内部底面２ｂの近くに、貫通穴１９よりも小径である本発明における取付穴１２を形成する鍔部１３が形成されている。さらに、取付凹部７の内側には、上記円筒部１４から４方向に放射状に延出する４枚の支持リブ１１が形成されている。なお、４枚の支持リブ１１は上記円筒部１４の補強と、装着されたスライド部材５１の一般部５２を内側から支持することを目的として設けられている。
【００７０】
そして、本実施の形態において、前述したスライド部材５１は、容器本体２の底面２ａ側から収納空間１００に向けて、前述した取付軸５３の先端部における４つの爪５４を内側に弾性移動させながら前記取付穴１２に圧入することにより容器本体２に装着される。また、装着後のスライド部材５１は、図１３に示したように、圧入後に元の位置に復帰した４つの爪５４が前記鍔部１３に係止されることによって容器本体２に係合し、容器本体２からの脱落を防止される。
【００７１】
ここで、本実施の形態においては、スライド部材５１における一般部５２の対向面５１ａを、前述したように球面の一部を構成するとともに床面等の側から見た中央部で互いに十字形に交差する２つの帯状の領域のみからなる十字形曲面としたことから、脚部５と床面等とが点接触することとなり両者の接触面積を小さくすることができる。したがって、薄型ボックス１により高いスライド性能（移動性能）を確保することができる。特に薄型ボックス１が置かれた場所がフローリング等の硬い床面である場合においては、任意の方向への移動が極めて容易となり、また薄型ボックス１が置かれた場所が絨毯等の柔らかい床面である場合においては、前述した帯状の領域に沿った互いに交差する方向への移動が極めて容易となる。
【００７２】
また、容器本体２の底面２ａに取付凹部７を設け、そこにスライド部材５１を内嵌させるようにしたことから、薄型ボックス１の移動時に容器本体２又はスライド部材５１の取付部位に過大な力が加わることがない。したがって、容器本体２又はスライド部材５１の取付部位に破損に伴うスライド部材５１の脱落を未然に防止することができる。
【００７３】
また、スライド部材５１は、前述したように取付軸５３の先端部を容器本体２の取付穴１２に圧入するだけで容器本体２に容易に装着させることができ、しかも装着後における容器本体２からの脱落を防止されるため、スライド部材５１の装着作業を極めて容易かつ確実に行うことができる。なお、本実施の形態においては、スライド部材５１の取付軸５３の先端部に４つの爪５４を設けたが、先端部に設ける爪５４の数は複数であればよい。なお、これ以外の効果については第１の実施の形態と同様である。
【００７４】
（実施形態５）
図１４は、本発明の第５の実施の形態における他のスライド部材６１を示す図であって、同図（ａ）は外観斜視図、同図（ｂ）は（ａ）に対する平面図、同図（ｃ）は側面図である。本実施の形態のスライド部材６１は、図１４（ａ）に示した向きで下面開口状の中空部材であり、前述した第１〜第４の実施の形態に示したものと同様、薄型ボックス１における容器本体２の底面２ａの複数ヶ所に装着された状態において底面２ａから突出する中空状の一般部６２と、一般部６２の内部中心に突出するとともに第４の実施の形態におけるスライド部材５１が有するものと同一の取付軸５３とから構成されている。
【００７５】
前記一般部６２は、背の低い円筒の上面が閉鎖されるとともに、その上面が上方に膨出した支柱部６２ａと、その周面に周方向に均等に配置されて突設する複数（本実施の形態では４つ）の補助脚部６２ｂとから構成されている。そして、支柱部６２ａの上面、すなわち薄型ボックス１が置かれた床面等と対向する一般部６２の対向面６２ｃが球面の一部を構成する形状に成形されている。また、支柱部６２ａと補助脚部６２ｂとの下縁が同一平面上に位置するよう形成されている。
【００７６】
以上の構成からなるスライド部材６１においても、それを第４の実施の形態において説明したものと同様の取付構造によって容器本体２の底面２ａに複数装着することにより、容器本体２の底面２ａの複数箇所に、薄型ボックス１が任意の場所置かれた状態で容器本体２を支持する脚部を形成することができる。なお、容器本体２の底面２ａの構造は、第４の実施の形態で図１２に示した取付凹部７の外形形状を、図１４（ｂ）に示したスライド部材６１の平面形状に応じた形状に変更したものとなる。また、前述したように支柱部６２ａと補助脚部６２ｂとの下縁が同一平面上に位置するよう形成されているため、スライド部材６１が容器本体２の底面２ａに装着された状態においては補助脚部６２ｂが底面２ａと当接することとなる。
【００７７】
そして、本実施の形態のスライド部材６１においても、それを容器本体２の底面２ａの複数ヶ所に装着した使用時には、仮に多量の物品や重量物が収容された状態でソファの下やクローゼット内等に置かれているときであっても、薄型ボックス１を容易にスライドさせて移動させることができる。
【００７８】
特にスライド部材６１においては一般部６２の対向面６２ｃが球面の一部を構成する形状であることから、脚部と床面等とが点接触することとなり両者の接触面積を小さくすることができ、薄型ボックス１により高いスライド性能（移動性能）を確保することができる。しかも、第４の実施の形態に示したものと比べると、特に薄型ボックス１が置かれた場所がフローリング等の硬い床面である場合や絨毯等の柔らかい床面である場合のいずれにおいても、任意の方向への移動が極めて容易となる。また、前述した補助脚部６２ｂによって、容器本体２が静止状態にあるとき、及び移動されるとき加わる荷重に対する高い剛性強度をスライド部材６１に確保することができる。これ以外の効果については第４の実施の形態と同様である。
【００７９】
なお、本実施の形態においては、一般部６２の対向面６２ｃが球面の一部を構成する形状に成形されているものを示したが、対向面６２ｃの形状は球面の一部でなくともよく、鉛直方向における任意の断面が曲線となる曲面であればよい。また、対向面６２ｃにおける容器本体２の底面２ａからの高さが最も高い位置は一般部６２の中央以外でもよい。その場合であっても、本実施の形態と同様の効果を得ることができる。
【００８０】
（実施形態６）
図１５は本発明の第６の実施の形態における他のスライド部材７１を示す図であり、同図（ａ）は外観斜視図、同図（ｂ）は側面図である。本実施の形態のスライド部材７１は、図示した向きで下面開口状の中空部材であり、前述した第１〜第５の実施の形態に示したものと同様、薄型ボックス１における容器本体２の底面２ａの複数ヶ所に装着された状態において底面２ａから突出する中空状の一般部７２と、一般部７２の内部中心に突出するとともに第４及び第５の実施の形態におけるスライド部材５１，６１が有するものと同一の取付軸５３とから構成されている。
【００８１】
前記一般部７２は、本発明の支柱部である高さの低い円筒部７２ａと、その上部を閉鎖するように形成されるとともに、周縁が円筒部７２ａの周面から外周方向に突出する直径を有する円形板の上面が上方に膨出した形状の当接部７２ｂとから構成されている。そして、当接部７２ｂの上面、すなわち薄型ボックス１が置かれた床面等と対向する一般部７２の対向面７２ｃが球面の一部を構成する形状に成形されている。
【００８２】
以上の構成からなるスライド部材７１においても、それを第５の実施の形態で説明したものと同様に方法で容器本体２の底面２ａの複数箇所に、薄型ボックス１が任意の場所置かれた状態で容器本体２を支持する脚部を形成することにより、仮に多量の物品や重量物が収容された状態でソファの下やクローゼット内等に置かれているときであっても、薄型ボックス１を容易にスライドさせて移動させることができる。また、その際には第５の実施の形態に示したものと同様、薄型ボックス１が置かれた場所がフローリング等の硬い床面である場合や絨毯等の柔らかい床面である場合のいずれにおいても、任意の方向への移動が極めて容易となる。
【００８３】
また、本実施の形態のスライド部材７１においては、前記一般部７２の円筒部７２ａが床面等と接する前記当接部７２ｂよりも小径であることから、薄型ボックス１が置かれた場所が毛足の長い絨毯である場合の移動に際しては第５の実施の形態に示したものと比べると移動抵抗が少なくなる。したがって、より一層高いスライド性能を確保することができる。それ以外の効果については第４の実施の形態と同様である。
【００８４】
また、本実施の形態においては、一般部７２の対向面７２ｃが球面の一部を構成する形状に成形されているものを示したが、対向面７２ｃの形状は球面の一部でなくともよく、鉛直方向における任意の断面が曲線となる曲面であればよい。また、対向面７２ｃにおける容器本体２の底面２ａからの高さが最も高い位置は一般部７２の中央以外でもよい。その場合であっても、本実施の形態と同様の効果を得ることができる。
【００８５】
（実施形態７）
図１６は本発明の第７の実施の形態における他のスライド部材８１を示す図であり、同図（ａ）は使用時における向きでの平面図、同図（ｂ）は側面図、同図（ｃ）は同図（ａ）のＡ−Ａ断面図である。本実施の形態のスライド部材８１は、第４〜第６の実施の形態と同様に、薄型ボックス１における容器本体２の底面２ａに前述した取付穴１２（図１２及び図１３参照）を設けておき、それを利用して底面２ａの複数ヶ所に装着される一方、第１〜第６の実施の形態に示したものと異なり板状の脚部（図示せず）を上記底面２ａの複数ヶ所に形成するものである。
【００８６】
すなわちスライド部材８１は、板状の一般部８２と、その長さ方向及び幅方向の中心に突設された、第４〜第６の実施の形態におけるスライド部材５１，６１，７１が有するものと同一の取付軸５３とから構成されている。前記一般部８２は、長さ方向の両端がスキー板の先端部と同様に尖った形状であるとともに、各々の先端側が取付軸５３の突出方向へ屈曲した形状である。つまり前述した第３の実施の形態で説明したスライド部材４１と同様に、容器本体２に装着された状態において薄型ボックス１が置かれた床面等と対向する対向面８２ａを、帯状の平面の延在方向の両端部が容器本体２の底面２ａに向かって屈曲した曲面としたものである。なお、図示しないが一般部８２の両端は、容器本体２に装着された状態において容器本体２の底面２ａに達する程度屈曲している。
【００８７】
したがって係るスライド部材８１を用いれば、薄型ボックス１の使用時には脚部と床面等とが面接触することとなるが、容器本体２と床面等との接触面積を小さくすることによって、薄型ボックス１に高いスライド性能（移動性能）を確保することができる。また、一般部８２の対向面８２ａの形状が第３の実施の形態におけるスライド部材４１と同様であるため、薄型ボックス１が置かれた場所がフローリング等の硬い床面である場合には任意の方向への移動が極めて容易となり、また薄型ボックス１が置かれた場所が絨毯等の柔らかい床面である場合においては、帯状である対向面４１ａの延在方向への移動が極めて容易となる。
【００８８】
また、従来のようにキャスターを設ける場合に比べ、収納空間１００に突出部分を存在させることなく内部全てをフラットな形状にしつつ、薄型ボックス１の外形寸法（特に高さ寸法）を最小限に抑えることができる。しかも一般部８２が板状であることから、第１〜第６の実施の形態に示したものに比べると薄型ボックス１の高さ寸法をより一層小さくすることができる。よって、ソファの下等の狭い場所で使用する場合や、クローゼット内等において重ねて使用する場合における使い勝手を一層向上させることができる。
【００８９】
（実施形態８）
図１７は本発明の第８の実施の形態における他のスライド部材９１を示す図であり、同図（ａ）は使用時における向きでの平面図、同図（ｂ）は側面図、同図（ｃ）は同図（ａ）のＡ−Ａ断面図、同図（ｄ）は正面図である。本実施の形態のスライド部材９１も、第４〜第６の実施の形態と同様に、薄型ボックス１における容器本体２の底面２ａに前述した取付穴１２（図１２及び図１３参照）を設けておき、それを利用して底面２ａの複数ヶ所に装着される一方、第１〜第６の実施の形態に示したものと異なり板状の脚部（図示せず）を上記底面２ａの複数ヶ所に形成するものである。
【００９０】
すなわちスライド部材９１は、十字形に成形された板状の一般部９２と、その中心に突設された、第４〜第６の実施の形態におけるスライド部材５１，６１，７１が有するものと同一の取付軸５３とから構成されている。前記一般部９２は取付軸５３を中心として同一面上を４方向に延びたスライド片９３からなり、各スライド片９３の先端がスキー板の先端部と同様に尖った形状であるとともに、各スライド片９３の先端側が取付軸５３の突出方向へ屈曲した形状である。これにより、容器本体２に装着された状態において薄型ボックス１が置かれた床面等と対向する対向面９２ａが、互いに直交する一対の帯状の平面における双方の延在方向両端部が容器本体２の底面２ａに向かって屈曲した曲面となっている。なお、図示しないが各スライド片９３の先端は、容器本体２に装着された状態において容器本体２の底面２ａに達する程度屈曲している。
【００９１】
以上のように係るスライド部材９１においては、板状の一般部９２が十字形であるため、図１６に示したスライド部材８１と異なり、薄型ボックス１が置かれた場所が絨毯等の柔らかい床面である場合においては、互いに交差する方向への移動が極めて容易となる。したがって、薄型ボックス１に前記スライド部材８１に比べてより高いスライド性能（移動性能）を確保することができる。なお、これ以外の効果については前記スライド部材８１と同一である。
【図面の簡単な説明】
【００９２】
【図１】本発明の第１の実施の形態を示す薄型ボックスを示す図である。
【図２】同薄型ボックスの平面図である。
【図３】同薄型ボックスの底面図である。
【図４】バックルを取り外した状態の容器本体の左半分を示す平面図である。
【図５】同状態における容器本体の左半分を示す底面図である。
【図６】容器本体の底面におけるスライド部材の取付部を示す斜視図である。
【図７】スライド部材を示す外観斜視図である。
【図８】容器本体へのスライド部材の取付構造を示す図７のＡ−Ａ断面に対応する断面図である。
【図９】（ａ）は第２の実施の形態を示すスライド部材の外観斜視図、（ｂ）は第３の実施の形態を示すスライド部材の外観斜視図である。
【図１０】第４の実施の形態を示すスライド部材の外観斜視図である。
【図１１】同実施の形態におけるスライド部材を示す図である。
【図１２】同実施の形態における容器本体の底面の要部（ａ）、及び内側底面の要部（ｂ）を示す図である。
【図１３】容器本体へのスライド部材の取付構造を示す断面図である。
【図１４】第５の実施の形態におけるスライド部材を示す図である。
【図１５】第６の実施の形態におけるスライド部材を示す図である。
【図１６】第７の実施の形態におけるスライド部材を示す図である。
【図１７】第８の実施の形態におけるスライド部材を示す図である。
【符号の説明】
【００９３】
１    薄型ボックス
２    容器本体
２ａ    底面
２ｂ    内部底面
５    脚部
６    凹部
７    取付凹部
９    係止穴
１２    取付穴
１９    貫通穴
２１    スライド部材
２１ａ    対向面
２２    一般部
２３    取付片
２４    係止爪
３１    スライド部材
３１ａ    対向面
３２    一般部
４１    スライド部材
４１ａ    対向面
４２    一般部
５１    スライド部材
５１ａ    対向面
５２    一般部
５３    取付軸
５４    爪
６１    スライド部材
６２    一般部
６２ａ    支柱部
６２ｂ    補助脚部
６２ｃ    対向面
７１    スライド部材
７２    一般部
７２ａ    円筒部
７２ｂ    当接部
７２ｃ    対向面
８１    スライド部材
８２    一般部
８２ａ    対向面
９１    スライド部材
９２    一般部
９２ａ    対向面
９３    スライド片
１００    収納空間
【図１】
2006182416.tif 000003
【図２】
2006182416.tif 000004
【図３】
2006182416.tif 000005
【図４】
2006182416.tif 000006
【図５】
2006182416.tif 000007
【図６】
2006182416.tif 000008
【図７】
2006182416.tif 000009
【図８】
2006182416.tif 000010
【図９】
2006182416.tif 000011
【図１０】
2006182416.tif 000012
【図１１】
2006182416.tif 000013
【図１２】
2006182416.tif 000014
【図１３】
2006182416.tif 000015
【図１４】
2006182416.tif 000016
【図１５】
2006182416.tif 000017
【図１６】
2006182416.tif 000018
【図１７】
2006182416.tif 000019